(57)【要約】      （修正有）【課題】発射時にピストンの力が使用者の方向に伝わってきて、実銃の発射に近い感触を得ることができる手動式玩具銃を提供する。【解決手段】銃身１５に平行に延設され、内部の圧縮空気を弾丸に誘導する排気手段を有するシリンダー２４と、シリンダー２４のシリンダーヘッド２２より前方に位置するピストン２５と、ピストン２５にシリンダーヘッド２２方向への付勢力を加えるスプリング２８と、一旦後退させた後のボルトを前進させることにより、ピストン２５をスプリング２８に抗して前方に摺動させるピストン移動手段と、前方に摺動させられたピストン２５をスプリング２５に抗して留め置くピストン規制手段と、引き金１６を引くことで留め置かれたピストン２５の規制を解除するピストン解除手段とを備え、前方に摺動させられて留め置かれたピストン２５が、付勢力により後方に摺動させられることで生じるシリンダー内の圧縮空気により、弾丸８を発射させる。【選択図】図２
2010266130.tif 000002
【特許請求の範囲】
【請求項１】
ボルトを手動で往復させて弾丸を装填し、該弾丸を圧縮空気で前方に発射させる手動式玩具銃において、
銃身に平行に延設され、内部の圧縮空気を該弾丸に誘導する排気手段を有するシリンダーと、
該シリンダーのシリンダーヘッドより前方に位置するピストンと、
該ピストンに該シリンダーヘッド方向への付勢力を加える付勢手段と、
一旦後退させた後の該ボルトを前進させることにより、該ピストンを該付勢手段に抗して前方に摺動させるピストン移動手段と、
該前方に摺動させられたピストンを該付勢力に抗して留め置くピストン規制手段と、
引き金を引くことで該留め置かれたピストンの規制を解除するピストン解除手段とを備え、
該前方に摺動させられて留め置かれたピストンが、該付勢力により後方に摺動させられることで生じる該シリンダー内の圧縮空気により、該弾丸を発射させることを特徴とする手動式玩具銃。
【請求項２】
前記ピストン移動手段が、前記ピストンを係止するピストン係止部を有すると共に前記ボルトにより前後に往復させられるピストン保持手段からなり、
該ボルトを後退させることより該ピストン保持手段が後退させられて該ピストンを係止し、
該ボルトを前進させることにより、該ピストン保持手段を前進させると共に該ピストン保持手段が係止する該ピストンを前方に摺動させ、
該ピストン係止部が前記ピストン規制手段となり、
前記ピストン解除手段が該ピストン係止部を操作して該ピストンの規制を解除することを特徴とする請求項１記載の手動式玩具銃。
【請求項３】
前記ピストン保持手段が、円筒形で、外周に前記付勢手段であるスプリングを有するスプリングガイドであり、
該ピストン保持手段の内周に該ピストンを係止することを特徴とする請求項２記載の手動式玩具銃。
【請求項４】
前記ピストン規制手段が、前記ボルトを後退させることにより該ボルトと前記ピストン移動手段とを連結させ、
該ボルトを前進させることにより、前記ピストンが該ピストン移動手段により前方に摺動させられて留め置かれ、
前記ピストン解除手段が、該ピストン規制手段を操作して該ボルトと該ピストン移動手段との連結を解除し、該ピストンの規制を解除することを特徴とする請求項１の手動式玩具銃。
【請求項５】
ボルトを手動で往復させて弾丸を装填し、該弾丸を圧縮空気で前方に発射させる手動式玩具銃において、
銃身に平行に延設され、内部の圧縮空気を該弾丸に誘導する排気手段を有するシリンダーと、
該シリンダーのシリンダーヘッドより前方に位置するピストンと、
該ピストンに該シリンダーヘッド方向への付勢力を加える付勢手段と、
該ボルトを後退させることにより、該ピストンを該付勢手段に抗して前方に摺動させるピストン移動手段と、
該前方に摺動させられたピストンを該付勢力に抗して留め置くピストン規制手段と、
引き金を引くことで該留め置かれたピストンの規制を解除するピストン解除手段とを備え、
該前方に摺動させられて留め置かれたピストンが、該付勢力により後方に摺動させられることで生じる該シリンダー内の圧縮空気により、該弾丸を発射させることを特徴とする手動式玩具銃。
【請求項６】
前記シリンダーが、前記弾丸の装填位置の周方向又は該装填位置の周方向より前方に設けられていることを特徴とする請求項１〜請求項５のいずれかに記載の手動式玩具銃。
【請求項７】
前記シリンダー、前記ピストン及び前記付勢手段が、軸を同一にして保持されていることを特徴とする請求項１〜請求項６のいずれかに記載の手動式玩具銃。
【発明の詳細な説明】
【技術分野】
【０００１】
本発明は、ボルトを手動で往復させる手動式玩具銃に関する。
【背景技術】
【０００２】
従来より、ボルトを手動で往復させる手動式玩具銃がある。例えば、特許文献１に示すような玩具銃がある。特許文献１の玩具銃は、装弾室に装填された弾丸を、トリガー部の操作に連動するピストン部の移動によって圧縮される気体の気体圧によって発射させる、気体圧を利用した玩具銃である。
【０００３】
従来の手動式玩具銃の構造及び動作を、図２４〜図２７により説明する。従来の手動式玩具銃５は、ボルト８０、レシーバー８１、銃身８５、引き金８６、弾倉８８、ストック８９等から構成されている。ボルト８０は、略円柱状で、レシーバー８１で周囲をガイドされ、先端に弾丸８を弾倉８８から銃身８５の後ろ端の周囲を覆うチャンバー８３に押し出すノズル８０ａを備え、ノズル８０ａと後端との間に圧縮室８０ｃが穿設されている。そして、ボルト８０のノズル８０ａ側の周囲は、シリンダ９４で覆われている。また、ボルト８０の圧縮室８０ｃにはピストン９５が挿嵌され、ピストン９５の後方には、円柱状のスプリングガイド９６が設けられ、ピストン９５とスプリングガイド９６との間にはスプリング９８が配設されている。
【０００４】
このように構成された従来の手動式玩具銃５の操作方法及び動作を説明する。まず、図２４に示すように、ボルト８０を前進させた状態で、ピストン９５がボルト８０の圧縮室８０ｃを塞ぎ、ボルト８０の先端部分がシリンダー室９４ａを塞いだ状態になっている。ここで、使用者は、ボルト８０を引いて後退させる。ボルト８０が後退させられると、図２５に示すように、弾倉８８のノズル８０ａで塞がれていた部分が解放され、弾丸８がノズル８０ａの前方の銃身８５の軌道に押し上げられる。また、ボルト８０が後退させられると、ボルト８０ともにピストン９５も後退させられ、シリンダー室９４ａが形成される。次に、使用者が、ボルト８０を前進させると、図２６に示すように、ピストン９５が留め置かれたままでノズル８０ａが銃身８５の軌道上に位置する弾丸８を押し動かし、弾丸８を銃身８５の後端のチャンバー８３の位置まで押し出すことになる。そして、シリンダー室９４ａが塞がれると共に、今度は、ボルト８０内に圧縮室８０ｃが形成される。この図２６に示す状態が、弾丸８の装填が完了し発射準備が完了した状態である。
【０００５】
そして、使用者が引き金８６を引くと、シア９９がピストン９５の係止を解除し、ピストン９５が、スプリング９８の付勢力によりボルト８０のノズル８０ａの方向（前方）へ摺動させられる。すると、図２７に示すように、圧縮室８０ｃがピストン９５で加圧されて、圧縮室８０ｃの空気が、圧縮空気となってノズル８０ａの先端の排気口８０ｂから弾丸８に噴射される。圧縮空気を後方から受けた弾丸８は、銃身８５に沿って前方に発射されることになる。
【先行技術文献】
【特許文献】
【０００６】
【特許文献１】特開２００５−９０８９０号公報
【発明の概要】
【発明が解決しようとする課題】
【０００７】
しかしながら、従来の手動式の玩具銃では、発射時にピストンの力が使用者に対し遠ざかる方向の前方に伝わっていき、実銃の発射と同じ感触を得ることができない。
【０００８】
本発明は、このような事情に鑑みてなされたもので、発射時にピストンの力が使用者の方向に伝わってきて、実銃の発射に近い感触を得ることができる手動式玩具銃を提供することにある。
【課題を解決するための手段】
【０００９】
請求項１記載の手動式玩具銃は、銃身に平行に延設され、内部の圧縮空気を弾丸に誘導する排気手段を有するシリンダーと、シリンダーのシリンダーヘッドより前方に位置するピストンと、ピストンにシリンダーヘッド方向への付勢力を加える付勢手段と、一旦後退させた後のボルトを前進させることにより、ピストンを付勢手段に抗して前方に摺動させるピストン移動手段と、前方に摺動させられたピストンを付勢力に抗して留め置くピストン規制手段と、引き金を引くことで留め置かれたピストンの規制を解除するピストン解除手段とを備え、前方に摺動させられて留め置かれたピストンが、付勢力により後方に摺動させられることで生じるシリンダー内の圧縮空気により、弾丸を発射させることを特徴とする。
【００１０】
請求項２記載の手動式玩具銃は、ピストン移動手段が、ピストンを係止するピストン係止部を有すると共にボルトにより前後に往復させられるピストン保持手段からなり、ボルトを後退させることよりピストン保持手段が後退させられてピストンを係止し、ボルトを前進させることにより、ピストン保持手段を前進させると共にピストン保持手段が係止するピストンを前方に摺動させ、ピストン係止部がピストン規制手段となり、ピストン解除手段がピストン係止部を操作してピストンの規制を解除することを特徴とする。
【００１１】
請求項３記載の手動式玩具銃は、ピストン保持手段が、円筒形で、外周に付勢手段であるスプリングを有するスプリングガイドであり、ピストン保持手段の内周にピストンを係止することを特徴とする。
【００１２】
請求項４記載の手動式玩具銃は、ピストン規制手段が、ボルトを後退させることによりボルトとピストン移動手段とを連結させ、ボルトを前進させることにより、ピストンがピストン移動手段により前方に摺動させられて留め置かれ、ピストン解除手段が、ピストン規制手段を操作してボルトとピストン移動手段との連結を解除し、ピストンの規制を解除することを特徴とする。
【００１３】
請求項５記載の手動式玩具銃は、銃身に平行に延設され、内部の圧縮空気を弾丸に誘導する排気手段を有するシリンダーと、シリンダーのシリンダーヘッドより前方に位置するピストンと、ピストンにシリンダーヘッド方向への付勢力を加える付勢手段と、ボルトを後退させることにより、ピストンを付勢手段に抗して前方に摺動させるピストン移動手段と、前方に摺動させられたピストンを付勢力に抗して留め置くピストン規制手段と、引き金を引くことで留め置かれたピストンの規制を解除するピストン解除手段とを備え、前方に摺動させられて留め置かれたピストンが、付勢力により後方に摺動させられることで生じるシリンダー内の圧縮空気により、弾丸を発射させることを特徴とする。
【００１４】
請求項６記載の手動式玩具銃は、シリンダーが、弾丸の装填位置の周方向又は装填位置の周方向より前方に設けられていることを特徴とする。
【００１５】
請求項７記載の手動式玩具銃は、シリンダー、ピストン及び付勢手段が、軸を同一にして一体に保持されていることを特徴とする。
【発明の効果】
【００１６】
請求項１、請求項２、請求項４及び請求項５の発明によれば、前方に摺動させられて留め置かれたピストンが、付勢力により後方に摺動させられることで生じるシリンダー内の圧縮空気により、弾丸を発射させることから、発射時にピストンの力が使用者の方向に伝わってきて、実銃の発射に近い感触を得ることができる。
【００１７】
請求項３の発明によれば、ピストン保持手段が、円筒形で、外周に付勢手段であるスプリングを有するスプリングガイドであり、ピストン保持手段の内周にピストンを係止することから、ピストン保持手段を小型化でき、実銃に近い外観形状を形成させることができる。
【００１８】
請求項６の発明によれば、シリンダーが、弾丸の装填位置の周方向又は装填位置の周方向より前方に設けられていることから、弾倉の位置を実銃に近い位置に設けることが可能で、実銃に近い外観形状を形成させることができる。
【００１９】
請求項７の発明によれば、シリンダー、ピストン及び付勢手段が、軸を同一にして一体に保持されていることから、小型化可能で、且つ一体のユニット化が可能で、コストを抑えると共に、実銃に近い外観形状を形成させることができる。
【図面の簡単な説明】
【００２０】
【図１】本発明に係る実施例１の手動式玩具銃を示す説明図である。
【図２】同実施例１の手動式玩具銃の保管状態を示す説明図である。
【図３】同実施例１の手動式玩具銃のスプリング圧縮途中の状態を示す説明図である。
【図４】同実施例１の手動式玩具銃のスプリング圧縮完了状態を示す説明図である。
【図５】同実施例１の手動式玩具銃の弾丸装填途中の状態を示す説明図である。
【図６】同実施例１の手動式玩具銃の弾丸装填が完了し発射準備が完了した状態を示す説明図である。
【図７】同実施例１の手動式玩具銃の引き金を引いた直後の状態を示す説明図である。
【図８】同実施例１の手動式玩具銃の引き金を引いてピストンが戻った状態を示す説明図である。
【図９】本発明に係る実施例２の玩具銃を示す説明図である。
【図１０】同実施例２の手動式玩具銃の保管状態を示す説明図である。
【図１１】同実施例２の手動式玩具銃のボルトを後退させる様子を示す説明図である。
【図１２】同実施例２の手動式玩具銃のボルトの後退を完了した状態を示す説明図である。
【図１３】同実施例２の手動式玩具銃の弾丸装填途中の状態を示す説明図である。
【図１４】同実施例２の手動式玩具銃の弾丸装填が完了し発射準備が完了した状態を示す説明図である。
【図１５】同実施例２の手動式玩具銃の引き金を引いた直後の状態を示す説明図である。
【図１６】同実施例２の手動式玩具銃の引き金を引いてピストンが戻った状態を示す説明図である。
【図１７】本発明に係る実施例３の玩具銃の保管状態を示す説明図である。
【図１８】同実施例３の手動式玩具銃のスプリング圧縮途中の状態を示す説明図である。
【図１９】同実施例３の手動式玩具銃のスプリング圧縮完了状態を示す説明図である。
【図２０】同実施例３の手動式玩具銃の弾丸装填途中の状態を示す説明図である。
【図２１】同実施例３の手動式玩具銃の弾丸装填が完了し発射準備が完了した状態を示す説明図である。
【図２２】同実施例３の手動式玩具銃の引き金を引いた直後の状態を示す説明図である。
【図２３】同実施例３の手動式玩具銃の引き金を引いてピストンが戻った状態を示す説明図である。
【図２４】従来の手動式玩具銃を示す説明図である。
【図２５】同従来の手動式玩具銃のボルトを後退させる様子を示す説明図である。
【図２６】同従来の手動式玩具銃のボルトを前進させる様子を示す説明図である。
【図２７】同従来の手動式玩具銃の引き金を引いてピストンが戻った状態を示す説明図である。
【発明を実施するための形態】
【００２１】
以下、本発明の形態について図面を参照しながら具体的に説明する。本発明の形態における手動式玩具銃は、ボルトを後退させることにより弾丸を装填し、ボルトを前進させることで発射準備を整え、引き金を引くことで弾丸が発射される手動式のものである。
【実施例１】
【００２２】
図１は、本発明に係る実施例１の手動式玩具銃を示す説明図である。図２は、同実施例１の手動式玩具銃の保管状態を示す説明図である。図３は、同実施例１の手動式玩具銃のスプリング圧縮途中の状態を示す説明図である。図４は、同実施例１の手動式玩具銃のスプリング圧縮完了状態を示す説明図である。図５は、同実施例１の手動式玩具銃の弾丸装填途中の状態を示す説明図である。図６は、同実施例１の手動式玩具銃の弾丸装填が完了し発射準備が完了した状態を示す説明図である。図７は、同実施例１の手動式玩具銃の引き金を引いた直後の状態を示す説明図である。図８は、同実施例１の手動式玩具銃の引き金を引いてピストンが戻った状態を示す説明図である。
【００２３】
図１〜図８において、手動式玩具銃１は、ボルト１０、レシーバー１１、アウターバレル１４、銃身１５、引き金１６、弾倉１８、ストック１９、シリンダーユニット２０等から構成されている。ボルト１０は、略円柱状で、先端に弾丸８を弾倉１８から銃身１５の後ろ端の周囲を覆うチャンバー１３に押し出すノズル１０ａを備え、前後に移動させられることで弾丸８の装填とシリンダーユニット２０の操作を行うものである。レシーバー１１は、ボルト１０を周囲で保持し、ボルト１０が前後の移動をガイドするものである。銃身１５は、発射時に弾丸８が通る筒状で、アウターバレル１４により覆われている。アウターバレル１４は実銃における銃身である。引き金１６は、シリンダーユニット２０の操作を行い、弾丸８を発射させるものである。弾倉１８は、弾丸８が充填されており、ボルト１０の先端のノズル１０ａの移動により弾丸８がチャンバー１３に押し出される。ストック１９は、手動式玩具銃１の外装を形成するもので、使用者が手を支える部分である。
【００２４】
シリンダーユニット２０は、円柱状で、銃身１５に水平に延設され、シリンダーヘッド２２、シリンダー２４、ピストン２５、スプリングガイド２６、スプリング２８等で構成されている。シリンダー２４は円筒状で、後端がシリンダーヘッド２２で塞がれ、前端にピストン２５が挿嵌されている。シリンダーヘッド２２には、シリンダーヘッド２２とシリンダー２４とピストン２５のピストンヘッド２５ａとで形成されるシリンダー室２４ａに生じる圧縮空気を、ノズル１０ａの先端に穿設された排気口１０ｂに導くための流路２２ａが穿設されている。
【００２５】
ピストン２５の後端は、シリンダー２４と密接して摺動するピストンヘッド２５ａが形成され、ピストンヘッド２５ａよりも前の部分は、シリンダー２４よりも縮径された形状となっている。そして、ピストン２５の前端付近には、周方向に渡って係止溝２５ｂが穿設されている。また、ピストン２５の外周には、円筒状のスプリングガイド２６がピストン２５の外周に沿って摺動自在に設けられている。スプリングガイド２６の前端は、周方向に渡って突出するスプリング係止鍔２６ａが設けられ、ピストン２５及びスプリングガイド２６の外周に、ピストンヘッド２５ａ及びスプリング係止鍔２６ａとに前後の端部が当接した状態でピストン２５の付勢手段としてのスプリング２８が設けられている。
【００２６】
スプリングガイド２６の前端には、略Ｌ字状で、底辺の端部がスプリングガイド２６の内周方向に傾動するように軸支されたシア２９が設けられている。シア２９の底点の端部のスプリングガイド２６の内周側には、その内周側に突出する係止爪２９ａが設けられている。このように、シリンダーユニット２０は、シリンダーヘッド２２、シリンダー２４、ピストン２５、スプリング２８、スプリングガイド２６の軸を同一にして一体に保持されて形成されている。
【００２７】
尚、シリンダーユニット２０のスプリングガイド２６には、ボルト１０から伸びるコッキングレバー１２が接続され、ボルト１０を前後に移動させると、それに合わせてスプリングガイド２６も前後に移動させられる。また、引き金１６からは、シリンダーユニット２０の前まで伸びて前進した位置のスプリングガイド２６のシア２９の上向片を操作可能にするトリガーバー１７が設けられている。
【００２８】
そして、シリンダーユニット２０のシリンダーヘッド２２は、チャンバー１３の周方向の下方側に設けられ、シリンダーヘッド２２を後端としてシリンダーユニット２０が、前方に向かって銃身１５に平行に延設されている。
【００２９】
次に、以上のように構成された実施例１の手動式玩具銃１の操作方法及び動作を説明する。まず、図２に示すように、ボルト１０を前進させた状態で、ピストン２５がシリンダーヘッド２２に接し、スプリングガイド２６が前方に位置する手動式玩具銃１の保存状態になっている。ここで、使用者は、ボルト１０を引いて後退させる。ボルト１０が後退させられると、図３に示すように、弾倉１８のノズル１０ａで塞がれていた部分が解放され、弾丸８がノズル１０ａ（排気口１０ｂ）の前方の銃身１５の軌道に押し上げられる。また、ボルト１０が後退させられると、ボルト１０に連結されるコッキングレバー１２が、スプリングガイド２６を後退させることになり、スプリングガイド２６が、ピストン２５の外周を摺動し、ピストン２５とスプリングガイド２６との間に架け渡されたスプリング２８が圧縮する。そして、図４に示すように、ボルト１０が後退しきると、スプリングガイド２６に設けられたシア２９の係止爪２９ａが、ピストン２５の係止溝２５ｂに係合し、スプリングガイド２６が、ピストン２５を保持した状態となる。
【００３０】
次に、使用者が、ボルト１０を前進させると、ボルト１０に連結されるスプリングガイド２６が、ピストン２５を保持したまま前方に移動させられる。これにより、図５に示すように、ピストン２５がシリンダー２４の前方に摺動させられ、シリンダー２４内のシリンダーヘッド２２とピストンヘッド２５ａとの間にシリンダー室２４ａが形成される。そして、ボルト１０がさらに前進させられると、ノズル１０ａが銃身１５の軌道上に位置する弾丸８を押し動かし、弾丸８を銃身１５の後端のチャンバー１３の位置まで押し出すことになる。そして、図６に示すように、ボルト１０が最前部まで前進させられると、ノズル１０ａが、弾丸８をチャンバー１３の位置に移動させ、またピストン２５がスプリングガイド２６により移動させられ、シリンダー室２４ａの体積が最大になる。そして、シリンダー室２４ａが、シリンダーヘッド２２の流路２２ａを介して、ノズル１０ａの排気口１０ｂとが連通した状態になる。また、このとき、トリガーバー１７の前方の部分が、スプリングガイド２６のシア２９の上向片に当接可能な状態となる。この図６に示す状態が、弾丸８の装填が完了し発射準備が完了した状態である。
【００３１】
そして、使用者が引き金１６を引くと、トリガーバー１７の前方の部分がシア２９の上向片を操作することになり、シア２９が傾動してシア２９の係止爪２９ａが、ピストン２５の係止溝２５ｂから外れる。すると、ピストン２５が、スプリングガイド２６の保持状態から解放され、スプリング２８の付勢力によりシリンダーヘッド２２方向へシリンダー２４内を摺動させられる。すると、図７に示すように、シリンダー室２４ａがピストンヘッド２５ａで加圧されて、シリンダー室２４ａの空気が、圧縮空気となってシリンダーヘッド２２の流路２２ａを通ってノズル１０ａの排気口１０ｂから弾丸８に噴射される。圧縮空気を後方から受けた弾丸８は、銃身１５に沿って前方に発射されることになる。そして、図８に示すように、ピストン２５がシリンダーヘッド２２に到達し、シリンダー室２４ａ内の圧縮空気がすべて噴射され、手動式玩具銃１が図２に示す保存状態に復帰することになる。
【００３２】
以上のように、本実施例１の手動式玩具銃１によれば、前方に摺動させられて留め置かれたピストン２５が、付勢力により後方に摺動させられることで生じるシリンダー２４内の圧縮空気により、弾丸８を発射させることから、発射時にピストン２５の力が使用者の方向に伝わってきて、実銃の発射に近い感触を得ることができる。
【００３３】
尚、本実施例１では、コッキングレバー１２とスプリングガイド２６とでピストン移動手段が形成され、シア２９が前方に摺動させられたピストン２５を付勢力に抗して留め置くピストン規制手段（ピストン係止部）として機能し、トリガーバー１７が引き金１６を引くことで留め置かれたピストン２５の規制を解除するピストン解除手段として機能する。そして、ピストン保持手段であるスプリングガイド２６が、円筒形で、外周に付勢手段であるスプリング２８を有し、スプリングガイド２６の内周にピストン２５を係止することから、ピストン保持手段を小型化でき、実銃に近い外観形状を形成させることができる。
【００３４】
尚、本実施例１では、ピストン解除手段であるトリガーバー１７やピストン移動手段であるコッキングレバー１２を、棒状の例で記載したが、棒状ではなくワイヤー等の他の手段でもよく、その形態により制限されるものではない。
【００３５】
また、シリンダー２４を、弾丸８の装填位置の周方向又は装填位置の周方向より前方に設けることで、弾倉１８の位置を実銃に近い位置に設けることが可能で、実銃に近い外観形状を形成させることができる。
【００３６】
さらに、シリンダー２４、ピストン２５及び付勢手段であるスプリング２８が、軸を同一にして一体に保持されてシリンダーユニット２０となっていることから、小型化可能で、コストを抑えると共に、実銃に近い外観形状を形成させることができる。
【実施例２】
【００３７】
図９は、本発明に係る実施例２の玩具銃を示す説明図である。図１０は、同実施例２の手動式玩具銃の保管状態を示す説明図である。図１１は、同実施例２の手動式玩具銃のボルトを後退させる様子を示す説明図である。図１２は、同実施例２の手動式玩具銃のボルトの後退を完了した状態を示す説明図である。図１３は、同実施例２の手動式玩具銃の弾丸装填途中の状態を示す説明図である。図１４は、同実施例２の手動式玩具銃の弾丸装填が完了し発射準備が完了した状態を示す説明図である。図１５は、同実施例２の手動式玩具銃の引き金を引いた直後の状態を示す説明図である。図１６は、同実施例２の手動式玩具銃の引き金を引いてピストンが戻った状態を示す説明図である。
【００３８】
図９〜図１６において、手動式玩具銃２は、ボルト３０、レシーバー３１、アウターバレル３４、銃身３５、引き金３６、弾倉３８、ストック３９、シリンダーユニット４０等から構成されている。ボルト３０は、略円柱状で、先端に弾丸８を弾倉３８から銃身３５の後ろ端の周囲を覆うチャンバー３３に押し出すノズル３０ａを備え、前後に移動させられることで弾丸８の装填とシリンダーユニット４０の操作を行うものである。レシーバー３１は、ボルト３０を周囲で保持し、ボルト３０が前後の移動をガイドするものである。銃身３５は、発射時に弾丸８が通る筒状で、アウターバレル３４により覆われている。アウターバレル３４は実銃における銃身である。引き金３６は、シリンダーユニット４０の操作を行い、弾丸８を発射させるものである。弾倉３８は、弾丸８が充填されており、ボルト３０の先端のノズル３０ａの移動により弾丸８がチャンバー３３に押し出される。ストック３９は、手動式玩具銃２の外装を形成するもので、使用者が手を支える部分である。
【００３９】
シリンダーユニット４０は、円柱状で、銃身３５に水平に延設され、ユニット本体４１で覆われた内部に、シリンダーヘッド４２、シリンダー４４、ピストン４５、スプリングガイド４６、スプリング４８等を備えている。シリンダー４４は円筒状で、後端がシリンダーヘッド４２で塞がれ、前端にピストン４５が挿嵌されている。シリンダーヘッド４２には、シリンダーヘッド４２とシリンダー４４とピストン４５のピストンヘッド４５ａとで形成されるシリンダー室４４ａに生じる圧縮空気を、ノズル３０ａの先端に穿設された排気口３０ｂに導くための流路４２ａが穿設されている。
【００４０】
ピストン４５のピストンヘッド４５ａの反対側（前方側）の端部には、円柱状の凹部４５ｂが穿設されている。そして、ピストン４５の凹部４５ｂにスプリング４８が挿嵌され、スプリング４８が凹部４５ｂより前方に突出している。そして、スプリング４８のピストン４５の凹部４５ｂから突出した部分の内側には、円柱状のスプリングガイド４６が設けられている。スプリングガイド４６は、シリンダーユニット４０の前端から後方に延設されており、太さは、スプリング４８が間に入った状態でピストン４５の凹部４５ｂが挿入可能な太さである。
【００４１】
尚、シリンダーユニット４０のピストン４５には、後方の引き金３６付近まで伸びる棒状のピストンロッド３２が設けられている。ピストンロッド３２は、後端３２ａからピストン４５の約ストローク分の長さ分前方で下方に屈曲している。また、引き金３６は引くことで傾動する構造で、引き金３６からボルト３０に上下動可能に伸びるトリガーバー３７を備えている。また、ボルト３０の後端付近には、前後に伸びた棒材で、略中心で軸支され上下に傾動自在に設けられたシア４９を備えている。シア４９の位置は、ボルト３０が前進させられた状態で、シア４９の後部４９ｂがトリガーバー３７の上方に位置する位置で、シア４９の長さは、ボルト３０が後退させられた状態で、ピストンロッド３２の後端３２ａが、シア４９の前端である係止端４９ａに当接する長さである。
【００４２】
そして、シリンダーユニット４０のシリンダーヘッド４２は、チャンバー３３の周方向の下方側に設けられ、シリンダーヘッド４２を後端としてシリンダーユニット４０が、前方に向かって銃身３５に平行に延設されている。
【００４３】
次に、以上のように構成された実施例２の手動式玩具銃２の操作方法及び動作を説明する。まず、図１０に示すように、ボルト３０を前進させた状態で、ピストン４５がシリンダーヘッド４２に接して、ピストン４５がスプリングガイド４６から離れた状態となっている。ここで、使用者は、ボルト３０を引いて後退させる。ボルト３０が後退させられると、図１１に示すように、弾倉３８のノズル３０ａで塞がれていた部分が解放され、弾丸８がノズル３０ａ（排気口３０ｂ）の前方の銃身３５の軌道に押し上げられる。また、ボルト３０が後退させられると、ボルト３０ともにシア４９も後退させられる。そして、図１２に示すように、ボルト３０が後退しきると、シア４９の係止端４９ａがピストンロッド３２の後端３２ａに当接する。
【００４４】
次に、使用者が、ボルト３０を前進させると、ボルト３０と共にシア４９も移動し、シア４９がピストンロッド３２を前方に突き出る。これにより、図１３に示すように、ピストン４５が前方に摺動させられ、シリンダー４４内のシリンダーヘッド４２とピストンヘッド４５ａとの間にシリンダー室４４ａが形成される。そして、ボルト３０がさらに前進させられると、ノズル３０ａが銃身３５の軌道上に位置する弾丸８を押し動かし、弾丸８を銃身３５の後端のチャンバー３３の位置まで押し出すことになる。そして、図１４に示すように、ボルト３０が最前部まで前進させられると、ノズル３０ａが、弾丸８をチャンバー３３の位置に移動させ、またピストン４５がピストンロッド３２により移動させられ、シリンダー室４４ａの体積が最大になる。そして、シリンダー室４４ａが、シリンダーヘッド４２の流路４２ａを介して、ノズル３０ａの排気口３０ｂとが連通した状態になる。また、このとき、シア４９の後部４９ｂが、トリガーバー３７の上方に位置するようになる。さらに、スプリング４８は、ピストン４５の凹部４５ｂ内で、スプリングガイド４６との間で圧縮された状態になる。この図１４に示す状態が、弾丸８の装填が完了し発射準備が完了した状態である。
【００４５】
そして、使用者が引き金３６を引くと、トリガーバー３７がシア４９の後部４９ｂを突き上げるため、シア４９が傾動し、シア４９の係止端４９ａが下がってピストンロッド３２の後端３２ａが解放される。すると、ピストン４５が、スプリング４８の付勢力によりシリンダーヘッド４２方向へシリンダー４４内を摺動させられる。すると、図１５に示すように、シリンダー室４４ａがピストンヘッド４５ａで加圧されて、シリンダー室４４ａの空気が、圧縮空気となってシリンダーヘッド４２の流路４２ａを通ってノズル３０ａの排気口３０ｂから弾丸８に噴射される。圧縮空気を後方から受けた弾丸８は、銃身３５に沿って前方に発射されることになる。そして、図１６に示すように、ピストン４５がシリンダーヘッド４２に到達し、シリンダー室４４ａ内の圧縮空気がすべて噴射され、手動式玩具銃２が図１０に示す保存状態に復帰することになる。
【００４６】
以上のように、本実施例２の手動式玩具銃２によれば、実施例１同様に、前方に摺動させられて留め置かれたピストン４５が、付勢力により後方に摺動させられることで生じるシリンダー４４内の圧縮空気により、弾丸８を発射させることから、発射時にピストン４５の力が使用者の方向に伝わってきて、実銃の発射に近い感触を得ることができる。
【００４７】
尚、本実施例２では、シア４９が、ピストン規制手段として機能し、ボルト３０を後退させることによりボルト３０とピストン移動手段であるピストンロッド３２とを連結させ、ボルト３０を前進させることにより、ピストン４５がピストン移動手段であるピストンロッド３２により前方に摺動させられて留め置かれる。また、ピストン解除手段であるトリガーバー３７が、ピストン規制手段であるシア４９を操作してボルト３０とピストン移動手段であるピストンロッド３２との連結を解除し、ピストン４５の規制を解除する構造となっている。
【実施例３】
【００４８】
図１７は、本発明に係る実施例３の玩具銃の保管状態を示す説明図である。図１８は、同実施例３の手動式玩具銃のスプリング圧縮途中の状態を示す説明図である。図１９は、同実施例３の手動式玩具銃のスプリング圧縮完了状態を示す説明図である。図２０は、同実施例３の手動式玩具銃の弾丸装填途中の状態を示す説明図である。図２１は、同実施例３の手動式玩具銃の弾丸装填が完了し発射準備が完了した状態を示す説明図である。図２２は、同実施例３の手動式玩具銃の引き金を引いた直後の状態を示す説明図である。図２３は、同実施例３の手動式玩具銃の引き金を引いてピストンが戻った状態を示す説明図である。
【００４９】
図１７〜図２３において、手動式玩具銃３は、ボルト５０、レシーバー５１、アウターバレル５４、銃身５５、引き金５６、弾倉５８、ストック５９、シリンダーユニット６０等から構成されている。ボルト５０は、略円柱状で、先端に弾丸８を弾倉５８から銃身５５の後ろ端の周囲を覆うチャンバー５３に押し出すノズル５０ａを備え、前後に移動させられることで弾丸８の装填とシリンダーユニット６０の操作を行うものである。レシーバー５１は、ボルト５０を周囲で保持し、ボルト５０が前後の移動をガイドするものである。銃身５５は、発射時に弾丸８が通る筒状で、アウターバレル５４により覆われている。アウターバレル５４は実銃における銃身である。引き金５６は、シリンダーユニット６０の操作を行い、弾丸８を発射させるものである。弾倉５８は、弾丸８が充填されており、ボルト５０の先端のノズル５０ａの移動により弾丸８がチャンバー５３に押し出される。ストック５９は、手動式玩具銃３の外装を形成するもので、使用者が手を支える部分である。
【００５０】
シリンダーユニット６０は、円柱状で、銃身５５に水平に延設され、シリンダーヘッド６２、シリンダー６４、ピストン６５、スプリングガイド６６、スプリング６８等で構成されている。シリンダー６４は円筒状で、後端がシリンダーヘッド６２で塞がれ、前端にピストン６５が挿嵌されている。シリンダーヘッド６２には、シリンダーヘッド６２とシリンダー６４とピストン６５のピストンヘッド６５ａとで形成されるシリンダー室６４ａに生じる圧縮空気を、ノズル５０ａの先端に穿設された排気口５０ｂに導くための流路６２ａが穿設されている。
【００５１】
ピストン６５の後端は、シリンダー６４と密接して摺動するピストンヘッド６５ａが形成され、ピストンヘッド６５ａよりも前の部分は、シリンダー６４よりも縮径された形状となっている。そして、ピストン６５の前端付近には、周方向に渡って係止溝６５ｂが穿設されている。また、ピストン６５の外周には、円筒状のスプリングガイド６６がピストン６５の外周に沿ってシリンダーユニット６０の前方側に設けられている。スプリングガイド６６の前端は、周方向に渡って突出するスプリング係止鍔６６ａが設けられ、ピストン６５及びスプリングガイド６６の外周に、ピストンヘッド６５ａ及びスプリング係止鍔６６ａとに前後の端部が当接した状態でピストン６５の付勢手段としてのスプリング６８が設けられている。
【００５２】
スプリングガイド６６の前端には、略Ｌ字状で、底辺の端部がスプリングガイド６６の内周方向に傾動するように軸支されたシア６９が設けられている。シア６９の底点の端部のスプリングガイド６６の内周側には、その内周側に突出する係止爪６９ａが設けられている。このように、シリンダーユニット６０は、シリンダーヘッド６２、シリンダー６４、ピストン６５、スプリング６８、スプリングガイド６６の軸を同一にして一体に保持されて形成されている。
【００５３】
尚、ピストン６５には、係止溝６５ｂ側から前方に伸びるワイヤー５２が接続されている。ワイヤー５２は、シリンダーユニット６０の前端に伸び、シリンダーユニット６０の前端上部に設けられた滑車５２ａに掛架されて下方に伸び、さらにシリンダーユニット６０の前端下部に設けられた滑車５２ｂに掛架されて、シリンダーユニット６０の後方に伸びている。そして、ワイヤー５２は、シリンダーユニット６０の後端下部に設けられた滑車５２ｃに掛架されて上方に伸び、さらにシリンダーユニット６０の後端上部に設けられた滑車５２ｄに掛架されて、さらにシリンダーユニット６０の後ろ側に伸びて、ボルト５０に接続されている。また、引き金５６からは、シリンダーユニット６０の前まで伸びてスプリングガイド６６のシア６９の上向片を操作可能にするトリガーバー５７が設けられている。
【００５４】
そして、シリンダーユニット６０のシリンダーヘッド６２は、チャンバー５３の周方向の下方側に設けられ、シリンダーヘッド６２を後端としてシリンダーユニット６０が、前方に向かって銃身５５に平行に延設されている。
【００５５】
次に、以上のように構成された実施例３の手動式玩具銃３の操作方法及び動作を説明する。まず、図１７に示すように、ボルト５０を前進させた状態で、ピストン６５がシリンダーヘッド６２に接する手動式玩具銃３の保存状態になっている。ここで、使用者は、ボルト５０を引いて後退させる。ボルト５０が後退させられると、図１８に示すように、弾倉５８のノズル５０ａで塞がれていた部分が解放され、弾丸８がノズル５０ａ（排気口５０ｂ）の前方の銃身５５の軌道に押し上げられる。
【００５６】
また、ボルト５０が後退させられると、ボルト５０に連結されるワイヤー５２が後方に引かれ、滑車５２ａ〜５２ｄに掛架されたワイヤー５２が、ピストン６５を前方に摺動させる。ピストン６５がシリンダー６４の前方に摺動させられると、シリンダー６４内のシリンダーヘッド６２とピストンヘッド６５ａとの間にシリンダー室６４ａが形成される。また、ピストン６５とスプリングガイド６６との間に架け渡されたスプリング６８が圧縮する。そして、図１９に示すように、ボルト５０が後退しきると、スプリングガイド６６に設けられたシア６９の係止爪６９ａが、ピストン６５の係止溝６５ｂに係合し、スプリングガイド６６が、ピストン６５を保持した状態となる。
【００５７】
次に、使用者が、ボルト５０を前進させると（図２０）、ボルト５０のノズル５０ａが、銃身５５の軌道に押し上げられた弾丸８の後方に移動する。そして、ボルト５０がさらに前進させられ最前部まで至ると、図２１に示すように、ノズル５０ａが銃身５５の軌道上に位置する弾丸８を押し動かし、弾丸８を銃身５５の後端のチャンバー５３の位置まで押し出すことになる。また、シリンダー室６４ａが、シリンダーヘッド６２の流路６２ａを介して、ノズル５０ａの排気口５０ｂとが連通した状態になる。この図２１に示す状態が、弾丸８の装填が完了し発射準備が完了した状態である。
【００５８】
そして、使用者が引き金５６を引くと、トリガーバー５７の前方の部分がシア６９の上向片を操作することになり、シア６９が傾動してシア６９の係止爪６９ａが、ピストン６５の係止溝６５ｂから外れる。すると、ピストン６５が、スプリングガイド６６の保持状態から解放され、スプリング６８の付勢力によりシリンダーヘッド６２方向へシリンダー６４内を摺動させられる。すると、図２２に示すように、シリンダー室６４ａがピストンヘッド６５ａで加圧されて、シリンダー室６４ａの空気が、圧縮空気となってシリンダーヘッド６２の流路６２ａを通ってノズル５０ａの排気口５０ｂから弾丸８に噴射される。圧縮空気を後方から受けた弾丸８は、銃身５５に沿って前方に発射されることになる。そして、図２３に示すように、ピストン６５がシリンダーヘッド６２に到達し、シリンダー室６４ａ内の圧縮空気がすべて噴射され、手動式玩具銃３が図１７に示す保存状態に復帰することになる。
【００５９】
以上のように、本実施例３の手動式玩具銃３によれば、実施例１及び実施例２と同様に、前方に摺動させられて留め置かれたピストン６５が、付勢力により後方に摺動させられることで生じるシリンダー６４内の圧縮空気により、弾丸８を発射させることから、発射時にピストン６５の力が使用者の方向に伝わってきて、実銃の発射に近い感触を得ることができる。
【００６０】
尚、本実施例３では、ピストン解除手段であるトリガーバー５７を棒状の例で記載し、ピストン移動手段であるワイヤー５２を線材の例で記載したが、それぞれが線材や棒状等の他の手段でもよく、その形態により制限されるものではない。
【００６１】
尚、実施例１〜実施例３では、球状の弾丸８を装填し発射する例を記載したが、カートリッジ（薬莢形状品）を有する弾丸を発射させる手動式玩具銃であってもよい。
【産業上の利用可能性】
【００６２】
以上のように、発射時にピストンの力が使用者の方向に伝わってきて、実銃の発射に近い感触を得ることができる手動式玩具銃を提供することができる。
【符号の説明】
【００６３】
１・・・・・手動式玩具銃
２・・・・・手動式玩具銃
３・・・・・手動式玩具銃
８・・・・・弾丸
１０・・・・ボルト
１０ａ・・・ノズル
１０ｂ・・・排気口
１１・・・・レシーバー
１２・・・・コッキングレバー
１３・・・・チャンバー
１４・・・・アウターバレル
１５・・・・銃身
１６・・・・引き金
１７・・・・トリガーバー
１８・・・・弾倉
１９・・・・ストック
２０・・・・シリンダーユニット
２２・・・・シリンダーヘッド
２２ａ・・・流路
２４・・・・シリンダー
２４ａ・・・シリンダー室
２５・・・・ピストン
２５ａ・・・ピストンヘッド
２５ｂ・・・係止溝
２６・・・・スプリングガイド
２６ａ・・・スプリング係止鍔
２８・・・・スプリング
２９・・・・シア
２９ａ・・・係止爪
３０・・・・ボルト
３０ａ・・・ノズル
３０ｂ・・・排気口
３１・・・・レシーバー
３２・・・・ピストンロッド
３２ａ・・・後端
３３・・・・チャンバー
３４・・・・アウターバレル
３５・・・・銃身
３６・・・・引き金
３７・・・・トリガーバー
３８・・・・弾倉
３９・・・・ストック
４０・・・・シリンダーユニット
４１・・・・ユニット本体
４２・・・・シリンダーヘッド
４２ａ・・・流路
４４・・・・シリンダー
４４ａ・・・シリンダー室
４５・・・・ピストン
４５ａ・・・ピストンヘッド
４５ｂ・・・凹部
４６・・・・スプリングガイド
４８・・・・スプリング
４９・・・・シア
４９ａ・・・係止端
４９ｂ・・・後部
５０・・・・ボルト
５０ａ・・・ノズル
５０ｂ・・・排気口
５１・・・・レシーバー
５２・・・・ワイヤー
５２ａ・・・滑車
５２ｂ・・・滑車
５２ｃ・・・滑車
５２ｄ・・・滑車
５３・・・・チャンバー
５４・・・・アウターバレル
５５・・・・銃身
５６・・・・引き金
５７・・・・トリガーバー
５８・・・・弾倉
５９・・・・ストック
６０・・・・シリンダーユニット
６２・・・・シリンダーヘッド
６２ａ・・・流路
６４・・・・シリンダー
６４ａ・・・シリンダー室
６５・・・・ピストン
６５ａ・・・ピストンヘッド
６５ｂ・・・係止溝
６６・・・・スプリングガイド
６６ａ・・・スプリング係止鍔
６８・・・・スプリング
６９・・・・シア
６９ａ・・・係止爪
【図１】
2010266130.tif 000003
【図２】
2010266130.tif 000004
【図３】
2010266130.tif 000005
【図４】
2010266130.tif 000006
【図５】
2010266130.tif 000007
【図６】
2010266130.tif 000008
【図７】
2010266130.tif 000009
【図８】
2010266130.tif 000010
【図９】
2010266130.tif 000011
【図１０】
2010266130.tif 000012
【図１１】
2010266130.tif 000013
【図１２】
2010266130.tif 000014
【図１３】
2010266130.tif 000015
【図１４】
2010266130.tif 000016
【図１５】
2010266130.tif 000017
【図１６】
2010266130.tif 000018
【図１７】
2010266130.tif 000019
【図１８】
2010266130.tif 000020
【図１９】
2010266130.tif 000021
【図２０】
2010266130.tif 000022
【図２１】
2010266130.tif 000023
【図２２】
2010266130.tif 000024
【図２３】
2010266130.tif 000025
【図２４】
2010266130.tif 000026
【図２５】
2010266130.tif 000027
【図２６】
2010266130.tif 000028
【図２７】
2010266130.tif 000029